(57)【要約】      （修正有）【課題】ラチェットレンチでナットやボルトを締め付ける際、締め始めのナットのしまりが甘い段階でも手や他の工具で仮締めを行う必要のないラチェットレンチ。【解決手段】ソケット２の外周に滑り止め加工を施し、手袋などをつけソケットを握っても滑りにくく、これにより、ハンドル部のみならず、滑り止め加工したソケットを片手で回すことも容易にし、仮締めから本締めまでの作業工程を大幅に短縮し、ギアの回転方向を切り替える際、その方向性を決める為にラチェットレンチ本体内部に設置されているスプリングとボール５を一体化させることにより、強い衝撃が加わってもボールがスプリング６に押し上げられ飛散し、ソケットと切り替えレバー３のギア部が噛み合わなくなる為ソケットが空回りする状態になることを防ぎ、破損し難いラチェットレンチとした。【選択図】図１
2004338075.tif 000002
【特許請求の範囲】
【請求項１】
ソケットの回転方向を切り替える切り替えレバーに於いて、ソケットのギア部と噛み合う部分を二本爪とし、切り替えレバーとギア部との噛み合せをより強力とする事により、ボルト・ナット等の締め付け時にソケットと切り替えレバーのギア部が滑りにくく、より簡単に素早く締めることが出来る上、本締めに近い基準値以上の強力なトルクをかけることが出来るため、他の工具を用いて締め付け取り外しを行う必要が無く、大幅に作業工程を短縮した事を特徴とするラチェットレンチ。
【請求項２】
ソケットの外周に滑り止め加工を施し片手でソケットを回すことが出来る様にした事により、ボルトやナット等の仮締めから本締めまでの作業や取り外しに他の工具を用いる必要が無く、大幅に作業工程を短縮した事を特徴とするラチェットレンチ。
【請求項３】
ギアの回転方向を切り替える際、その方向性を決める為にラチェットレンチ本体内部に設置されているスプリングとボールを一体化させることにより、強い衝撃が加わったり、請求項１で述べたような基準値以上の強力なトルクがかかっても、ボールがスプリングに押し上げられ飛散し、ソケットと切り替えレバーのギア部が噛み合わなくなりソケットが空回りする状態になるということが無いことを特徴とするラチェットレンチ。
【発明の詳細な説明】
【０００１】
【発明の属する技術分野】
本考案で取り上げたラチェットレンチとは、ボルト・ナット等の締め付け、又は取り外しの際に使用する工具である。
【０００２】
【従来の技術及び解決しようとする課題】
ラチェットレンチを使用し、強く締め付けられたボルトやナット等の取り外しや、本締め相当の強力なトルクでの締め付けを行おうとすると、ラチェットレンチのソケットとギアの噛み合せ部分が滑り、ラチェットレンチではボルトやナット等の取り外しや強力な締め付けが困難な為、他の工具を用いてラチェットレンチの使える状態にしたり、本締めを行ったりしなければならなかった。
【０００３】
ラチェットレンチでナットやボルトを締め付ける際、締め始めのナットのしまりが甘い段階では、手や他の工具で仮締めを行ったり、ラチェットレンチを使用する場合でも、ソケットが締め付けと反対方向へ空回りしないようソケットを手で押さえて使用するが、その際、従来品はソケットに滑り止めが無いため手が滑り思うように締め付けられない場合が多々あった。
【０００４】
ラチェットレンチの切り替えレバーとソケットの噛み合せ部分に於いて、本体内に組み込まれたスプリングとボールによって切り替えレバーを押し上げているが、従来品はボールとスプリングが一体化していないため、強力なトルクをかけたりラチェットレンチをハンマーのように扱い強い衝撃を加えたりした際、ボールが所定の位置からはずれボールがスプリングにより押し上げられ飛散し、ソケットと切り替えレバーのギア部が噛み合わなくなる為ソケット部が空回りする状態になり、本来のラチェットレンチとしての機能が失われていた。
【０００５】
本発明は上述した問題点を解決するラチェットレンチを提唱するものである。
【０００６】
【発明を解決するための手段】
ソケットの回転方向を切り替える切り替えレバー（図５−３）に於いて、ソケット（図１−１）のギア（図４−８）と噛み合う部分を二本爪（図  −３）とし、切り替えレバーとギア部との噛み合せをより強力とする事により（図  ）、ボルト・ナット等の締め付け取り外し時にギアが滑りにくく、より簡単に素早く締めることが出来る上、本締めに近い基準値以上の強力なトルクをかけることが出来るので、工具を持ち替えず一度の工程で本締め相当まで締め付けたり、きつく締め付けられたボルト・ナット等を緩めることが出来、作業工程を短縮したラチェットレンチである。
【０００７】
ソケット（図１−１）の外周に滑り止め加工（図１−７）を施し、素手のみならず手袋などをつけソケット（図１−１）を握っても滑りにくく、これにより、ハンドル部を使用してのみ締め付け取り外しを行うのではなく、滑り止め加工したソケットを片手で容易に回すことが出来、ボルトやナット等の仮締めや取り外しが片手で出来、仮締めから本締め相当の締め付けまで他の工具に持ち替えることなく出来ることにより、作業工程を短縮したラチェットレンチである。
【０００８】
ギア（図４−８）の回転方向を切り替える際、その方向性を決める為にラチェットレンチ本体（図１−１）内部に設置されているスプリング（図６−６）とボール（図６−５）を一体化させることにより（図６）、強い衝撃が加わったり、請求項１で述べたような基準値以上の強力なトルクがかかっても、ボール（図６−５）がスプリング（図６−６）に押し上げられ飛散し、ソケット（図１−１）と切り替えレバー（図５−３）のギア部が噛み合わなくなり（図２）ソケット（図１−１）が空回りする状態になるということが無く、破損し難いラチェットレンチである。
【０００９】
本発明は以上の構成からなるラチェットレンチである。
【００１０】
【発明の実施の形態】
本発明の実施例を図面によって説明する。
ソケット（図１−２）の回転方向を切り替える切り替えレバー（図１−３）に於いて、ソケットのギア部（図４−８）と噛み合う部分を二本爪とし（図５−３）、切り替えレバー（図５−３）とギア部との噛み合せをより強力とする事により、（図２）ボルト・ナット等が滑りにくく、より簡単に素早く締めることが出来る上、本締めに近い基準値以上の強力なトルクがかかるので、工具を持ち替えず一度の工程で本締め相当まで締め付けたり、きつく締め付けられたボルト・ナット等を緩めることが出来、作業工程を短縮したラチェットレンチである。
【００１１】
ソケット（図１−２）の外周に滑り止め加工を施し（図１−７）、素手のみならず手袋をつけソケット（図１−２）を握っても滑りにくく、これにより、ソケット（図１−２）を片手で回すことも容易にし、仮締めから本締め相当の締め付けまで工具を持ち替えることなく出来ることにより、作業工程を短縮したラチェットレンチである。
【００１２】
ギア（図４）の方向性を切り替える際に切り替えレバー（図１−３）を使用するが、その方向性を決める為にラチェットレンチ本体（図１−１）内部に設置されているスプリング（図１−８）とボール（図１−７）を一体化させることにより（図６）、請求項１で述べた強力なトルクがかかったり、強い衝撃が加わった際にボール（図１−７）が飛散し、ソケット（図１−１）と切り替えレバー（図５−３）のギア部が噛み合わなくなる為（図２）ソケット（図１−１）が空回りする状態になり、本来の目的である締付け工具として使えなくなることを防いだ、破損し難いラチェットレンチである。
【００１３】
【発明の効果】
ソケットの回転方向を切り替える切り替えレバーに於いて、ソケットのギア部と噛み合う部分を二本爪とし、切り替えレバーとギア部との噛み合せをより強力とする事により、ボルト・ナット等の締め付け取り外し時にギアが滑りにくく、より簡単に素早く締めることが出来る上、本締めに近い基準値以上の強力なトルクをかけることが出来、又、ギアの方向性を切り替える際に使用する切り替えレバーに於いて、その方向性を決める為にラチェットレンチ本体内部に設置されているスプリングとボールを一体化させることにより、強力なトルクがかかったり、ラチェットレンチをハンマーのように使用した際に強い衝撃が加わってもボールが飛散し、ソケットと切り替えレバーのギア部が噛み合わなくなる為ソケットが空回りする状態になり本来の目的である締付け工具として使えなくなる事を防ぎ、かつ、ソケットの外周に滑り止め加工を施し、素手のみならず手袋等をつけソケットを握っても滑りにくくし、これにより、ソケットを片手で回すことも容易にし、ボルトやナット等の仮締めや取り外しが片手で出来、これらにより、ボルトやナットの差込みから本締め相当の締め付け、又、強く締め付けられたボルトやナットの取り外しを工具を持ち替えず一度の工程で出来、大幅に作業効率を上げたラチェットレンチである。
【００１４】
【図面の簡単な説明】
【図１】全体斜視図。
【図２】切り替えレバーの作用図。
【図３】側面、上面図。
【図４】ソケット部拡大図。
【図５】切り替えレバー拡大図。
【図６】スプリング、ボール拡大図。
【図７】ギア部拡大図。
【符号の説明】
（１）  ラチェットレンチ（本体）
（２）  ソケット
（３）  当該品切り替えレバー
（４）  従来品切り替えレバー
（５）  ボール
（６）  スプリング
（７）  ソケットのローレット加工部
（８）  ギア部
【図１】
2004338075.tif 000003
【図２】
2004338075.tif 000004
【図３】
2004338075.tif 000005
【図４】
2004338075.tif 000006
【図５】
2004338075.tif 000007
【図６】
2004338075.tif 000008
【図７】
2004338075.tif 000009